(57)【特許請求の範囲】
【請求項１】
ケーシング内に設けられたオゾン発生装置でオゾンを発生させ、そのオゾンで室内を燻蒸して脱臭殺菌するオゾン脱臭殺菌装置において、交流高電圧が印加される電極とアースされる電極との間に誘電体板が介在すると共に、両電極の断面形状が櫛状に形成されたオゾン発生電極セルを、断面ロの字形状のケースに収容して開放型のオゾン発生装置を構成し、この開放型のオゾン発生装置のケースの内外に、送風機で大量の空気を送風して、オゾン発生装置を冷却しながら大流量のオゾンを発生するようにしたことを特徴とするオゾン脱臭殺菌装置。
【請求項２】
上記ケーシングを上下に区分けし、ケーシング下部に、上記オゾン発生装置と上記送風機を配置してオゾン発生流路を形成し、ケーシング上部にケーシングを貫通するダクトを設け、そのダクトの吸排気口にオゾンキラーを設けると共にダクト内にオゾン分解用送風機を設けてオゾン分解流路を形成した請求項１記載のオゾン脱臭殺菌装置。
【請求項３】
上記ケーシングに、ケーシングを貫通するダクトを設け、そのダクトの吸気口に吸気側オゾンキラーを設け、上記ダクトの排気口に、ダクト内面と隙間を隔てて上記開放型のオゾン発生装置を設け、該開放型のオゾン発生装置と上記吸気側オゾンキラーとの間に上記送風機を設けた請求項１記載のオゾン脱臭殺菌装置。
【請求項４】
上記ケーシングに、ケーシングを貫通するダクトを設け、そのダクトの吸気口に吸気側オゾンキラーを設けると共に排気口に外気側オゾンキラーを設け、上記ダクトに、ダクト内面と隙間を隔てて上記開放型のオゾン発生装置を設け、該開放型のオゾン発生装置と上記吸気側オゾンキラーとの間に上記送風機を設けた請求項１記載のオゾン脱臭殺菌装置。
【発明の詳細な説明】
【０００１】
【産業上の利用分野】
本発明は、オゾンを用いて室内を燻蒸したり、室内の空気を清浄化するオゾン脱臭殺菌装置に関する。
【０００２】
【従来の技術】
図５は従来のオゾン脱臭殺菌装置の側面断面図である。
【０００３】
同図において、１はケーシングであり上下に区画されている。ケーシング１内の上部１ａにはケーシング１を貫通したダクト２が設けられている。ダクト２の吸排気口にはオゾンを分解するオゾンキラー３、４が設けられており、ダクト２内にはオゾン分解用の送風機５が設けられている。ケーシング上部には取り入れた空気を圧縮してオゾナイザ６に供給するコンプレッサ７が設けられている。
【０００４】
ケーシング１内の下部１ｂには密閉された容器内で放電によってオゾンを発生させる密閉型のオゾナイザ６が配置されている。オゾナイザ６にはコンプレッサ７からの圧縮空気を取り入れる配管８が接続され、オゾナイザ６には発生したオゾンガスを装置外に放出する放出管９が接続されている。１０はオゾナイザ６を冷却するための冷却用の送風機であり、ケーシング下部にはオゾナイザ６を冷却するための空気ＡＩＲを取り入れるための空気取入口１１と空気排出口１２とが設けられている。
【０００５】
このようなオゾン脱臭殺菌装置をホテルの客室や病院の病室あるいはロッカー室等に配置し、作動させると、コンプレッサ７からオゾナイザ６へ空気が供給され、オゾナイザ６でオゾン化される。放出管９から放出されるオゾンＯ3 で室内が燻蒸され脱臭殺菌される。燻蒸終了後はコンプレッサ７及びオゾナイザ６の作動が停止し、オゾン分解用の送風機５が一定時間作動することにより、室内の残留オゾンが空気ＡＩＲと共にダクト内に吸い込まれる際にオゾンキラー３で分解されて酸素Ｏ2 となり空気ＡＩＲと共に室内に放出される。尚、オゾンキラー４は送風機５をオゾンによる腐食から保護するためのものである。
【０００６】
【発明が解決しようとする課題】
しかしながら、上述したオゾン脱臭殺菌装置は、オゾナイザに空気を供給するコンプレッサと、オゾナイザ冷却用の送風機とが必要であった。また、オゾナイザは発生するオゾンの流量が小さいため、オゾン分解時に運転するオゾン分解用の送風機をオゾン発生時にも間欠的に運転させてオゾンを拡散させなければ十分な脱臭殺菌ができなかった。
【０００７】
そこで、本発明の目的は、上記課題を解決し、簡単な構成で室内を十分に脱臭殺菌できるオゾン脱臭殺菌装置を提供することにある。
【０００８】
【課題を解決するための手段】
上記の目的を達成するために本発明は、ケーシング内に設けられたオゾン発生装置でオゾンを発生させ、そのオゾンで室内を燻蒸して脱臭殺菌するオゾン脱臭殺菌装置において、交流高電圧が印加される電極とアースされる電極との間に誘電体板が介在すると共に、両電極の断面形状が櫛状に形成されたオゾン発生電極セルを、断面ロの字形状のケースに収容して開放型のオゾン発生装置を構成し、この開放型のオゾン発生装置のケースの内外に、送風機で大量の空気を送風して、オゾン発生装置を冷却しながら大流量のオゾンを発生するようにしたものである。
【０００９】
上記構成に加え本発明は、上記ケーシングを上下に区分けし、ケーシング下部に、上記オゾン発生装置と上記送風機を配置してオゾン発生流路を形成し、ケーシング上部にケーシングを貫通するダクトを設け、そのダクトの吸排気口にオゾンキラーを設けると共にダクト内にオゾン分解用送風機を設けてオゾン分解流路を形成してもよい。
【００１０】
上記構成に加え本発明は、上記ケーシングに、ケーシングを貫通するダクトを設け、そのダクトの吸気口に吸気側オゾンキラーを設け、上記ダクトの排気口に、ダクト内面と隙間を隔てて上記開放型のオゾン発生装置を設け、該開放型のオゾン発生装置と上記吸気側オゾンキラーとの間に上記送風機を設けてもよい。
【００１１】
また本発明は、上記ケーシングに、ケーシングを貫通するダクトを設け、そのダクトの吸気口に吸気側オゾンキラーを設けると共に排気口に外気側オゾンキラーを設け、上記ダクトに、ダクト内面と隙間を隔てて上記開放型のオゾン発生装置を設け、該開放型のオゾン発生装置と上記吸気側オゾンキラーとの間に上記送風機を設けてもよい。
【００１２】
【作用】
上記構成によれば、オゾン発生装置に開放型のオゾン発生装置を用い、この開放型のオゾン発生装置に送風機で大量の空気を送風することにより、オゾン発生装置に供給する空気とオゾン発生装置を冷却する空気とが同一化され、オゾン発生装置が冷却されながら大流量のオゾンが発生する。このため空気を取り入れて圧縮するコンプレッサが不要となり、オゾン放出時にオゾンガスを拡散するための送風機を運転させる必要がなくなり、構成が簡素化され、しかも十分に室内を殺菌脱臭できる。
【００１３】
【実施例】
以下、本発明の一実施例を添付図面に基づいて詳述する。尚、上述した従来例と同様の部材には共通の符号を用いた。
【００１４】
図１は本発明のオゾン脱臭殺菌装置の一実施例の側面断面図である。図２は図１に示したオゾン脱臭殺菌装置に用いられる開放型のオゾン発生装置の正面図であり本発明者らが提案したものである（平成７年５月２２日出願）。
【００１５】
図１において、ケーシング１は上下に区分けされており、ケーシング１内の上部１ａにはケーシング１を貫通したダクト２が設けられている。ダクト２の吸排気口にはオゾンを分解するオゾンキラー３、４がそれぞれ設けられており、ダクト２内にはオゾン分解用の送風機５が設けられている。
【００１６】
ケーシング１の下部１ｂには空気取入口１１と、オゾン放出口１２とが形成されている。ケーシング１の下部１ｂ内には開放型のオゾン発生装置１３が配置されている。このオゾン発生装置１３と空気取入口１１との間には大流量のオゾンを発生すべく、大量の空気をオゾン発生装置１３に送風する送風機１４が設けられている。
【００１７】
ここでオゾン発生装置について説明する。
【００１８】
図２において、断面が櫛状に形成され交流高電圧が印加される高電圧電極２０と、断面が櫛状に形成され接地されるアース電極２１との間に誘電体板２２を介在させたオゾン発生電極セル２３が形成されている。
【００１９】
断面ロの字形状のケース２４内には例えば２組のオゾン発生電極セル２３が、高電圧電極２０が向き合うように接合されて収容され、圧接ボルト２５で圧接されている。ケース２４の前面及び後面には安全のため金網２６が設けられている。高電圧電極２０には交流高電圧電源２７の出力端が接続されている。オゾン発生装置１３は、送風機１４からの空気が紙面に垂直な方向に供給されるように配置されている。すなわち各電極２０、２１に形成される流路Ｕａ、Ｖａは空気取入口１１及びオゾン放出口１２に向き合うように配置されいる。
【００２０】
次に実施例の作用を述べる。
【００２１】
オゾン脱臭殺菌装置が作動すると、オゾン発生装置１３と送風機１４とが作動する。交流高電圧電源２７から高電圧電極２０に交流高電圧が印加され、誘電体板２２の表面においてアース電極２１と高電圧電極２０との間で沿面放電が生じる。送風機１４によって空気取入口１１から取り入れられた大量の空気ＡＩＲは、オゾン発生電極セル２３における沿面放電によりオゾン化され、大流量のオゾンガスＯ3 として空気ＡＩＲと共にオゾン放出口１２からオゾン脱臭殺菌装置外に放出される。この大流量のオゾンガスＯ3 によって短時間で室内が十分に燻蒸され、脱臭殺菌される。
【００２２】
所定時間オゾン燻蒸が行われると、交流高電圧電源２７と送風機１４とが停止してオゾンＯ3 の発生が停止する。これと同時に送風機５が一定時間作動し、室内の残留オゾンが空気ＡＩＲと共に吸気口から取り入れられオゾンキラー３で分解され酸素Ｏ2 と空気ＡＩＲとが排気口から室内に放出される。室内のすべての残留オゾンが分解されるとオゾン脱臭殺菌処理が終了する。
【００２３】
以上において本実施例のオゾン脱臭殺菌装置は、オゾン発生装置に開放型のオゾン発生装置を用い、このオゾン発生装置に送風機で大量の空気を送風することにより、オゾン発生装置に供給する空気とオゾン発生装置を冷却する空気とが同一化され、オゾン発生装置が冷却されながら大流量のオゾンが発生する。このため空気を取り入れて圧縮するコンプレッサが不要となり、オゾンガスを拡散するための送風機が不要となり構成が簡素化される。また、オゾンガスによる燻蒸時間が短縮化される。
【００２４】
図３は本発明のオゾン脱臭殺菌装置の他の実施例の側面断面図である。
【００２５】
同図に示すオゾン脱臭殺菌装置は、ケーシング１にケーシング１を貫通するダクト２を設け、そのダクト２の吸気口にオゾンキラー３を設け、ダクト２の排気口側に、ダクト２の内面と隙間を隔ててオゾン発生装置１３を設け、オゾン発生装置１３とオゾンキラー３との間に、オゾン発生装置１３に大流量の空気を送風する送風機１４を設けたものである。
【００２６】
このようなオゾン脱臭殺菌装置が作動するとオゾン発生装置１３と送風機１４とが作動し、大流量のオゾンガスＯ3 が空気ＡＩＲと共に一定時間室内に供給され燻蒸される。室内がオゾンガスＯ3 で脱臭殺菌されると、オゾン発生装置１３は停止するが、送風機１４はさらに一定時間作動する。送風機１４によって室内の残留オゾンＯ3 が空気ＡＩＲと共にオゾンキラー３を介してダクト２内に吸い込まれるがオゾンＯ3 はオゾンキラー３で分解されて酸素Ｏ2 となって室内に放出される。室内の残留オゾンＯ3 がすべて分解されると脱臭殺菌処理が終了する。
【００２７】
図４は本発明のオゾン脱臭殺菌装置のさらに他の実施例の側面断面図である。
【００２８】
図１及び図３に示した実施例の装置は室内をオゾンガスで燻蒸して脱臭殺菌するものであるが、図４に示した装置は、ケーシング内でオゾンガスを発生させ、他方室内の空気を吸入して装置内でオゾンガスと接触して脱臭殺菌した後残留オゾンを分解し、清浄な空気を室内に供給するものである。
【００２９】
図４に示すオゾン脱臭殺菌装置は、ケーシング１にケーシング１を貫通するダクト２を設け、そのダクト２の吸気口にオゾンキラー３を設け、ダクト２の排気口にオゾンキラー４を設け、ダクト２内に、ダクト２の内面と隙間を隔ててオゾン発生装置２３を設け、オゾン発生装置１３とオゾンキラー３との間に、オゾン発生装置１３に大流量の空気を送風する送風機１４を設けたものである。
【００３０】
同図に示すオゾン脱臭殺菌装置が作動すると、オゾン発生装置１３と送風機１４とが作動し、室内の空気が吸気口から吸い込まれる。ダクト２内で大流量の空気ＡＩＲが大流量のオゾンガスＯ3 となるので、ダクト２内に吸い込まれた空気ＡＩＲは、大量のオゾンガスＯ3 により短時間で十分に脱臭殺菌される。ダクト２内に残留したオゾンガスＯ3 はオゾンキラー４で酸素Ｏ2 に分解され、清浄化された空気ＡＩＲが室内に供給される。一定時間経過すると室内の空気ＡＩＲが清浄化された空気ＡＩＲに入れ替わり脱臭殺菌が終了する。
【００３１】
以上において本実施例によれば、オゾン発生装置に開放型のオゾン発生装置を用い、この開放型のオゾン発生装置に送風機で大量の空気を送風することにより、オゾン発生装置に供給する空気とオゾン発生装置を冷却する空気とが同一化され、オゾン発生装置が冷却されながら大流量のオゾンが発生する。このため空気を取り入れて圧縮するコンプレッサが不要となる。すなわち、簡単な構成で大流量のオゾンを発生でき、短時間で十分に脱臭殺菌できるオゾン脱臭殺菌装置が実現される。尚、図４に示した実施例では、オゾンキラーを排気口側に設け、装置内で室内の空気を脱臭殺菌したが、オゾンキラーを着脱自在に設け、取りはずしたときにオゾンで室内を燻蒸できるようにしてもよい。
【００３２】
【発明の効果】
以上要するに本発明によれば、次のような優れた効果を発揮する。
【００３３】
送風機で大量の空気を開放型のオゾン発生装置に送風することにより、空気を供給するためのコンプレッサが不要となり、オゾン発生時にオゾン分解用の送風機を作動させることがなくなるので、簡単な構成で大流量のオゾンを発生できるオゾン脱臭殺菌装置を実現できる。
【図面の簡単な説明】
【図１】本発明のオゾン脱臭殺菌装置の一実施例の側面断面図である。
【図２】図１に示したオゾン脱臭殺菌装置に用いられる開放型のオゾン発生装置の正面図である。
【図３】本発明のオゾン脱臭殺菌装置の他の実施例の側面断面図である。
【図４】本発明のオゾン脱臭殺菌装置のさらに他の実施例の側面断面図である。
【図５】従来のオゾン脱臭殺菌装置の側面断面図である。
【符号の説明】
１  ケーシング
２  ダクト
３、４  オゾンキラー
５、１４  送風機
６、１３  オゾン発生装置（オゾナイザ）
２０  高電圧電極（電極）
２１  アース電極（電極）
２２  誘電体板
２３  オゾン発生電極セル
２７  交流高電圧電源
【図１】
0003756965.tif 000002
【図２】
0003756965.tif 000003
【図３】
0003756965.tif 000004
【図４】
0003756965.tif 000005
【図５】
0003756965.tif 000006